(57)【要約】【課題】使用者の使用履歴に応じて説明の表示方法を自動的に変更する。【解決手段】デジタルカメラ１０はＣＰＵ１５、ＬＣＤ１６、入力部１８、カウンタ１９を有する。ＬＣＤ１６に、所定の機能と関連付けられた項目を含む設定一覧画像を表示する。入力部１８への選択コマンド入力により、設定一覧画像に含まれる項目を選択する。入力部１８への確定コマンド入力により、選択された項目を確定する。選択された項目を確定することにより、関連付けられた機能を実行する。カウンタ１９は項目毎に選択が確定された回数を計測する。設定一覧画像をＬＣＤ１６に表示中に項目を選択するときに、機能を説明するガイドを表示する。選択された項目への確定コマンドの入力回数が多くなるほど、項目の選択後からガイドを表示するまでの時間を遅延させる。【選択図】図１
2010108099.tif 000002
【特許請求の範囲】
【請求項１】
所定の機能に対応付けられた項目を含む一覧画像をモニタに表示させるモニタ制御部と、
前記一覧画像の中の前記項目を選択する選択コマンド入力を検出する第１の検出部と、
前記選択コマンド入力により選択された前記項目に対応付けられた前記所定の機能を説明するガイドを、前記モニタに表示させるガイド表示制御部と、
前記選択コマンド入力により選択された前記項目に対応付けられた前記所定の機能を実行させるために、選択された前記項目の選択を確定する確定コマンド入力を検出する第２の検出部と、
前記第２の検出部に検出された確定コマンド入力の検出回数を前記項目毎にカウントするカウンタと、
前記確定コマンド入力の検出回数が多くなるほど、前記選択コマンド入力により前記項目が選択されてから前記ガイドを前記モニタに表示させるまでの時間を遅延させる表示時期制御部とを備える
ことを特徴とする携帯機器のガイド表示システム。
【請求項２】
前記表示時期制御部は、前記コマンド入力の検出回数が第１の閾値未満である場合には前記ガイドの前記モニタへの表示を遅延させず、前記コマンド入力の検出回数が前記第１の閾値を超え前記第1の閾値より大きな第２の閾値未満である場合には前記ガイドの前記モニタへの表示を第１の時間だけ遅延させることを特徴とする請求項１に記載の携帯機器のガイド表示システム。
【請求項３】
前記表示時期制御部は、前記コマンド入力の検出回数が前記第２の閾値を超える場合に前記ガイドの前記モニタへの表示時期を前記第１の時間より長い第２の時間だけ遅延させることを特徴とする請求項２に記載の携帯機器のガイド表示システム。
【請求項４】
前記表示制御部は、前記コマンド入力の検出回数が前記第２の閾値を超える場合に前記ガイドの前記モニタへの表示を停止させることを特徴とする請求項２に記載の携帯機器のガイド表示システム。
【請求項５】
前記表示時期制御部は、
前記モニタ制御部が前記一覧画像を前記モニタに表示しているとき、実行されている第１の前記所定の機能に対して予め組合された第２の前記所定の機能に対応付けられた第２の前記項目に対する前記選択コマンド入力が検出される場合に、
前記ガイドの前記モニタへの表示の遅延機能を停止させる
ことを特徴とする請求項１〜請求項４のいずれか１項に記載の携帯機器のガイド表示システム。
【請求項６】
所定の機能に対応付けられた項目を含む一覧画像をモニタに表示させるモニタ制御部と、
前記一覧画像の中の前記項目を選択する選択コマンド入力を検出する第１の検出部と、
前記選択コマンド入力により選択された前記項目に対応付けられた前記所定の機能を説明するガイドを、前記モニタに表示させるガイド表示制御部と、
前記選択コマンド入力により選択された前記項目に対応付けられた前記所定の機能を実行させるために、選択された前記項目の選択を確定する確定コマンド入力を検出する第２の検出部と、
前記第２の検出部に検出された前記確定コマンド入力の検出回数を前記項目毎にカウントするカウンタと、
前記確定コマンド入力の検出回数が閾値を越える場合に、選択された前記項目の前記ガイドの前記モニタへの表示を停止させるガイド表示停止部とを備える
ことを特徴とする携帯機器のガイド表示システム。
【請求項７】
前記ガイド表示停止部は、
前記モニタ制御部が前記一覧画像を前記モニタに表示しているとき、実行されている第１の前記所定の機能に対して予め組合わされた第２の前記所定の機能に対応付けられた第２の前記項目に対する前記選択コマンド入力が検出される場合に、
前記ガイドの前記モニタへの表示停止機能を停止させる
ことを特徴とする請求項６に記載の携帯機器のガイド表示システム。
【請求項８】
前記項目毎にカウントされた検出回数をリセットするリセット入力を検出する第３の検出部を備えることを特徴とする請求項１〜請求項７のいずれか１項に記載の携帯機器のガイド表示システム。
【請求項９】
所定の機能に対応付けられた項目を含む一覧画像をモニタに表示させるモニタ制御部と、
前記一覧画像の中の前記項目を選択する選択コマンド入力を検出する第１の検出部と、
前記選択コマンド入力により選択された前記項目に対応付けられた前記所定の機能を説明するガイドを、前記モニタに表示させるガイド表示制御部と、
前記選択コマンド入力により選択された前記項目に対応付けられた前記所定の機能を実行させるために、選択された前記項目の選択を確定する確定コマンド入力を検出する第２の検出部と、
前記第２の検出部に検出された確定コマンド入力の検出回数を前記項目毎にカウントするカウンタと、
前記確定コマンド入力の検出回数が多くなるほど、前記選択コマンド入力により前記項目が選択されてから前記ガイドを前記モニタに表示させるまでの時間を遅延させる表示時期制御部としてディスプレイ付き携帯機器のコンピュータを機能させる
ことを特徴とするガイド表示プログラム。
【請求項１０】
所定の機能に対応付けられた項目を含む一覧画像をモニタに表示させるモニタ制御部と、
前記一覧画像の中の前記項目を選択する選択コマンド入力を検出する第１の検出部と、
前記選択コマンド入力により選択された前記項目に対応付けられた前記所定の機能を説明するガイドを、前記モニタに表示させるガイド表示制御部と、
前記選択コマンド入力により選択された前記項目に対応付けられた前記所定の機能を実行させるために、選択された前記項目の選択を確定する確定コマンド入力を検出する第２の検出部と、
前記第２の検出部に検出された前記確定コマンド入力の検出回数を前記項目毎にカウントするカウンタと、
前記確定コマンド入力の検出回数が閾値を越える場合に、選択された前記項目の前記ガイドの前記モニタへの表示を停止させるガイド表示停止部としてディスプレイ付き携帯機器のコンピュータを機能させる
ことを特徴とするガイド表示プログラム。
【発明の詳細な説明】
【技術分野】
【０００１】
本発明は、ディスプレイ付の携帯機器が有する様々な機能を説明するガイドを、ディスプレイに表示させる携帯機器のガイド表示システムに関する。
【背景技術】
【０００２】
デジタルカメラや携帯電話のように、ディスプレイを備えた携帯機器が知られている。また、これらの携帯機器には様々な機能が設けられる。これらの機能は対応付けられたアイコンや名称などを表示画像の中から選択して、選択を確定することにより実行させることが可能である。
【０００３】
近年の携帯機器には多くの機能が設けられるため、それぞれの機能の実行方法や対応付けられたアイコンや機能の名称などの表示のみによって使用者がどのような機能であるかを判別することは困難であった。
【０００４】
そこで、ディスプレイに携帯機器の説明書を表示することが提案されていた（特許文献１参照）。さらに、表示する説明書を使用者が編集可能であり、使用者の熟練度に応じて最適な説明書に編集することが可能であった。
【０００５】
しかし、説明書を編集するには、使用者自身が編集のための操作コマンドを入力する必要があった。このような操作コマンドの入力は煩雑であるため、使用者が実際に説明表示の内容を編集することは極めて稀であり、編集しないままであるか、あるいは、説明表示機能自体を停止させることが多い。それゆえ、不必要な表示であっても、その表示制御が終わるまで待機するか、逆に説明表示を望む場合であっても表示されず、使用者の使用形態下で適切に説明をディスプレイに表示させることは困難であった。
【特許文献１】特開２００６−２６０２４９号公報
【発明の開示】
【発明が解決しようとする課題】
【０００６】
したがって、本発明では、使用者の使用履歴に応じて説明の表示方法を自動的に変更する携帯機器のガイド表示システムの提供を目的とする。
【課題を解決するための手段】
【０００７】
本発明の第１の携帯機器のガイド表示システムは、所定の機能に対応付けられた項目を含む一覧画像をモニタに表示させるモニタ制御部と、一覧画像の中の項目を選択する選択コマンド入力を検出する第１の検出部と、選択コマンド入力により選択された項目に対応付けられた所定の機能を説明するガイドをモニタに表示させるガイド表示制御部と、選択コマンド入力により選択された項目に対応付けられた所定の機能を実行させるために選択された項目の選択を確定する確定コマンド入力を検出する第２の検出部と、第２の検出部に検出された確定コマンド入力の検出回数を項目毎にカウントするカウンタと、確定コマンド入力の検出回数が多くなるほど選択コマンド入力により項目が選択されてからガイドをモニタに表示させるまでの時間を遅延させる表示時期制御部とを備えることを特徴としている。
【０００８】
さらに、表示時期制御部は、コマンド入力の検出回数が第１の閾値未満である場合にはガイドの前記モニタへの表示を遅延させず、コマンド入力の検出回数が第１の閾値を超え第1の閾値より大きな第２の閾値未満である場合にはガイドの前記モニタへの表示を第１の時間だけ遅延させることが好ましい。
【０００９】
また、表示時期制御部は、コマンド入力の検出回数が第２の閾値を超える場合にガイドのモニタへの表示時期を第１の時間より長い第２の時間だけ遅延させることが好ましい。
【００１０】
また、表示制御部は、コマンド入力の検出回数が第２の閾値を超える場合にガイドのモニタへの表示を停止させることが好ましい。
【００１１】
また、表示時期制御部は、モニタ制御部が一覧画像を前記モニタに表示しているとき実行されている第１の所定の機能に対して予め組合された第２の所定の機能に対応付けられた第２の項目に対する選択コマンド入力が検出される場合に、ガイドのモニタへの表示の遅延機能を停止させることが好ましい。
【００１２】
本発明の第２の携帯機器のガイド表示システムは、所定の機能に対応付けられた項目を含む一覧画像をモニタに表示させるモニタ制御部と、一覧画像の中の項目を選択する選択コマンド入力を検出する第１の検出部と、選択コマンド入力により選択された項目に対応付けられた所定の機能を説明するガイドをモニタに表示させるガイド表示制御部と、選択コマンド入力により選択された項目に対応付けられた所定の機能を実行させるために選択された項目の選択を確定する確定コマンド入力を検出する第２の検出部と、第２の検出部に検出された確定コマンド入力の検出回数を項目毎にカウントするカウンタと、確定コマンド入力の検出回数が閾値を越える場合に選択された項目のガイドのモニタへの表示を停止させるガイド表示停止部とを備えることを特徴としている。
【００１３】
さらに、ガイド表示停止部は、モニタ制御部が一覧画像をモニタに表示しているとき実行されている第１の所定の機能に対して予め組合わされた第２の所定の機能に対応付けられた第２の項目に対する選択コマンド入力が検出される場合に、ガイドのモニタへの表示停止機能を停止させることが好ましい。
【００１４】
また、項目毎にカウントされた検出回数をリセットするリセット入力を検出する第３の検出部を備えることが好ましい。
【００１５】
本発明の第１のガイド表示プログラムは、所定の機能に対応付けられた項目を含む一覧画像をモニタに表示させるモニタ制御部と、一覧画像の中の項目を選択する選択コマンド入力を検出する第１の検出部と、選択コマンド入力により選択された項目に対応付けられた所定の機能を説明するガイドをモニタに表示させるガイド表示制御部と、選択コマンド入力により選択された項目に対応付けられた所定の機能を実行させるために選択された項目の選択を確定する確定コマンド入力を検出する第２の検出部と、第２の検出部に検出された確定コマンド入力の検出回数を項目毎にカウントするカウンタと、確定コマンド入力の検出回数が多くなるほど選択コマンド入力により項目が選択されてからガイドをモニタに表示させるまでの時間を遅延させる表示時期制御部としてディスプレイ付き携帯機器のコンピュータを機能させることを特徴としている。
【００１６】
本発明の第２のガイド表示プログラムは、所定の機能に対応付けられた項目を含む一覧画像をモニタに表示させるモニタ制御部と、一覧画像の中の項目を選択する選択コマンド入力を検出する第１の検出部と、選択コマンド入力により選択された項目に対応付けられた所定の機能を説明するガイドをモニタに表示させるガイド表示制御部と、選択コマンド入力により選択された項目に対応付けられた所定の機能を実行させるために選択された項目の選択を確定する確定コマンド入力を検出する第２の検出部と、第２の検出部に検出された確定コマンド入力の検出回数を前記項目毎にカウントするカウンタと、確定コマンド入力の検出回数が閾値を越える場合に選択された項目のガイドのモニタへの表示を停止させるガイド表示停止部としてディスプレイ付き携帯機器のコンピュータを機能させることを特徴としている。
【発明の効果】
【００１７】
本発明によれば、選択した項目に関連付けられた機能を説明するガイドを表示させるまでの時間を使用履歴に応じて自動的に調整することが可能である。使用履歴に応じて自動的にガイド表示までの時間を調整することにより、使用者の利便性を向上可能である。
【発明を実施するための最良の形態】
【００１８】
以下、本発明の実施形態について図面を参照して説明する。
図１は、本発明の一実施形態を適用した携帯機器のガイド表示システムを有するデジタルカメラの内部構成を概略的に示すブロック図である。
【００１９】
デジタルカメラ１０は、撮影光学系１１、撮像素子１２、ＡＦＥ（Ａｎａｌｏｇｕｅ  Ｆｒｏｎｔ  Ｅｎｄ）１３、ＤＳＰ（Ｄｉｇｉｔａｌ  Ｓｉｇｎａｌ  Ｐｒｏｃｅｓｓｏｒ）１４（モニタ制御部）、ＣＰＵ１５（第１〜第３の検出部、ガイド表示制御部、表示時期制御部）、ＬＣＤ１６、外部カードインターフェース１７、および入力部１８などによって構成される。
【００２０】
撮影光学系１１は、撮像素子１２に光学的に接続される。撮影光学系１１を透過する被写体の光学像が撮像素子１２の受光面に入射される。撮像素子１２は、例えばＣＣＤである。撮像素子１２は、受光面において被写体の光学像を受光することにより、光学像に相当する画像信号を生成する。
【００２１】
撮像素子１２はＡＦＥ１３に接続される。ＡＦＥ１３は撮像素子ドライバ（図示せず）有しており、受光する光学像に相当する画像信号を生成するように撮像素子１２を駆動する。生成した画像信号はＡＦＥ１３において相関二重サンプリング、ゲイン調整、及びＡ／Ｄ変換が施され、画像データに変換される。
【００２２】
ＡＦＥ１３はＤＳＰ１４に接続される。画像データはＡＦＥ１３からＤＳＰ１４に送信される。ＤＳＰ１４では、受信した画像データに対して所定の信号処理が施される。また、ＤＳＰ１４は、記憶メディア（図示せず）に格納した画像データを読出すことも可能である。あるいは、ＤＳＰ１４は、接続されるＲＯＭ（図示せず）に格納された設定一覧画像に相当する一覧画像データを読出すことも可能である。
【００２３】
なお、後述するように、設定一覧画像とは所定の機能と関連付けられた項目が、文字やアイコンなどによって表示される画像であって、設定一覧画像を表示中に項目を選択して、選択を確定することにより関連付けられた機能を実行させることが可能である。
【００２４】
ＤＳＰ１４は、ＬＣＤ１６に接続される。所定の信号処理の施された画像データ、記憶メディアから読出した画像データ、またはＲＯＭから読出した一覧画像データがＬＣＤ１６に送信される。送信される画像データに相当する画像がＬＣＤに表示される。
【００２５】
ＤＳＰ１４は、外部カードインターフェース１７に接続される。レリーズ動作を実行するときに、所定の信号処理の施された画像データは外部カードインターフェース１７に接続される記憶メディアに格納される。
【００２６】
デジタルカメラ１０の各部位の動作は、ＣＰＵ１５によって制御される。ＣＰＵ１５は入力部１８に接続される。図２に示すように、入力部１８は、上ボタン１８Ｕ、下ボタン１８Ｄ、左ボタン１８Ｌ、および右ボタン１８Ｒ、決定ボタン１８ｄ、レリーズボタン１８ｒ、メニューボタン１８ｍ、およびグリーンボタン１８ｇを有しており、それぞれのボタンへの入力操作が個別に検出される。それぞれのボタンへの入力操作に基づいて、ＣＰＵ１５は各部位の制御を行う。
【００２７】
デジタルカメラ１０は、静止画または動画を撮影するための撮影モード、撮影した静止画または動画をＬＣＤ１６に表示する再生モード、デジタルカメラ１０が有する機能の設定をするための設定モードなどの動作モードを有している。
【００２８】
撮影モードにおいては、撮像素子１２に入射するリアルタイムの光学像であるライブビュー画像がＬＣＤ１６に表示される。再生モードにおいては、以前に撮影した静止画像または動画像がＬＣＤ１６に表示される。
【００２９】
メニューボタン１８ｍが押下されると、現在の動作モードから設定モードへ切替えられる。設定モードにおいては、撮影設定メニュー画像または一般設定メニュー画像が表示される。なお、撮影設定メニュー画像および一般設定メニュー画像は、一覧画像データとしてＲＯＭに予め格納される設定一覧画像の一部である。
【００３０】
図３に示すように、撮影設定メニュー画像ＰＩには、“記録サイズ”、“画質”、“ホワイトバランス”などのような項目Ｉｔが、縦方向に並べられて表示される。なお、これらの項目Ｉｔは、撮影条件の設定の切替機能に対応付けられている。撮影設定メニュー画像を表示中に、これらの項目Ｉｔに対応付けられた切替機能を実行可能である。
【００３１】
撮影メニュー画像を表示中に、上ボタン１８Ｕまたは下ボタン１８Ｄを押すことにより、表示される複数の項目Ｉｔの中から一項目が選択される。一項目が選択された状態で、右ボタン１８Ｒを押すことにより、選択された項目Ｉｔに対応付けられた切替機能の実行が確定される。切替機能の実行が確定されると、選択可能な撮影条件の小項目を表示するポップアップが撮影メニュー画像ＰＩ上に重ねられて表示される。
【００３２】
ポップアップが表示されている状態で上ボタン１８Ｕまたは下ボタン１８Ｄを押すことにより、いずれか一つの小項目が選択される。一つの小項目が選択された状態で、決定ボタン１８ｄを押すことにより、選択された小項目が実行すべき内容に確定される。
【００３３】
例えば、撮影設定メニュー画像ＰＩにおける“記録サイズ”の項目を選択すると、図４に示すように、“記録サイズ”の項目Ｉｔが表示される行に網目が掛けられ、さらに下線が引かれ、記録サイズの切替機能が選択状態であることが視認可能となる。
【００３４】
“記録サイズ”を選択した状態で右ボタンを押すと、図５に示すように、記録サイズ選択用のポップアップＰＵが撮影設定メニュー画像ＰＩ上に表示される。ポップアップＰＵには、選択可能な記録サイズとして、“８Ｍ”、“５Ｍ”、“４Ｍ”、“３Ｍ”、“２Ｍ”、“１０２４”、および“６４０”の小項目が表示される。
【００３５】
なお、現在選択されている小項目には下線が引かれる。ポップアップＰＵが表示されている状態で上ボタン１８Ｕまたは下ボタン１８Ｄを押すことにより小項目の選択が切替えられ、新たに選択された小項目に下線が引かれる。ポップアップＰＵが表示されている状態で左ボタン１８Ｌを押すことにより、選択されている小項目が確定される。
【００３６】
なお、一般設定メニュー画像には、“日時設定”、“表示言語設定”などの項目が撮影設定メニュー画像と同様に表示される。なお、撮影設定メニュー画像と同様に、これらの項目は撮影条件以外の一般設定の切替機能に対応付けられている。いずれかの項目の選択および選択の確定、ポップアップの表示、ポップアップに表示される小項目の選択および確定は、撮影設定メニュー表示と同様の操作入力により実行可能である。
【００３７】
デジタルカメラ１０は、シャッター速度、絞り値、および画像信号に施す信号処理などを、使用者の要求する撮影方法や撮影する被写体の種類に応じて自動的に設定する機能を有している。
【００３８】
例えば、プログラム撮影機能を実行させると、シャッター速度および絞り値の微調整を可能にしながら被写体に対して適正な露出となるようにシャッター速度および絞り値が自動的に調整される。また、動画撮影機能が実行されると、フレーム毎（例えば、１／３０秒）に被写体が撮影され、動画像用の信号処理が施される。また、ボイスレコーディング機能を実行すると、マイク（図示せず）を起動させ、デジタルカメラ１０の周囲の音声が録音される。また、オートピクチャ機能を実行させると、撮像素子１２に受光される被写体の光学像を判別し、デジタルカメラ１０の各種設定が判別した被写体に応じて最適化される。
【００３９】
これらの機能は、撮影モードにおいて入力部１８への所定の操作に基づいて、実行させることが可能である。なお、画像の再生においても編集機能などの所定の機能が設けられており、再生モードにおける入力部１８への所定の操作に基づいて、所定の機能を実行させることも可能である。
【００４０】
例えば、撮影モードにおいてライブビュー画像が表示されているときに、下ボタン１８Ｄを押すことにより撮影モード設定画像がＬＣＤ１６に表示される。撮影モード設定画像は、一覧画像データとしてＲＯＭに予め格納される設定一覧画像の一部である。
【００４１】
図６に示すように、撮影モード設定画像ＭＩには、撮影モードにおいて実行可能な機能に対応付けられた項目が、第１〜第４のアイコンＩ１〜Ｉ４として行列上に並べられて表示される。なお、第１、第２、第３、第４のアイコンＩ１、Ｉ２、Ｉ３、Ｉ４は、それぞれオートピクチャ機能、プログラム撮影機能、動画撮影機能、ボイスレコーディング機能に関連付けられている。
【００４２】
撮影モード設定画像ＭＩを表示中に、上ボタン１８Ｕ、下ボタン１８Ｄ、左ボタン１８Ｌ、または右ボタン１８Ｒを押すことにより、表示される第１〜第４のアイコンＩ１〜Ｉ４の中から一つのアイコンが選択される。選択されているアイコンの周りには枠線Ｆが表示される。アイコンが選択されている状態で決定ボタン１８ｄを押すことにより、選択されたアイコンに対応付けられた機能の実行が確定される。
【００４３】
上述の撮影設定メニュー画像ＰＩ、一般設定メニュー画像、撮影モード設定画像ＭＩなどの設定一覧画像を表示中、選択された項目Ｉｔに関連付けられた機能の説明であるガイドが、後述するように、デジタルカメラ１０の使用履歴に応じて表示される。
【００４４】
例えば、図７に示すように、撮影設定メニュー画像ＰＩを表示中に“記録サイズ”の項目Ｉｔが選択されている場合には、“記録サイズ”に関連付けられた記録サイズ切替機能を説明するガイドＧが表示される。
【００４５】
また、例えば、図８に示すように、撮影モード設定画像ＭＩを表示中に第１のアイコンＩ１が選択されている場合には、第１のアイコンＩ１に関連付けられたオートピクチャ機能を説明するガイドＧが表示される。
【００４６】
前述のように、選択された項目に関連付けられた機能を説明するガイドＧは、デジタルカメラ１０の使用履歴に応じて表示される。実行する機能に関連付けられた項目の選択を確定するコマンドが入力された回数が、項目毎にカウントされる。なお、ＣＰＵ１５に接続されるカウンタ１９（図１参照）により入力回数がカウントされる。
【００４７】
設定一覧画像においていずれかの項目を選択すると、選択された項目に対してコマンドの入力回数が閾値と比較される。入力回数が１０回未満である場合には、項目の選択後３秒経過時にガイドＧが表示される。入力回数が１０回以上２０回未満である場合には、表示時間が１秒遅らされ、項目の選択後４秒経過時にガイドＧが表示される。入力回数が２０回以上２５回未満である場合には、さらに表示時間が１秒遅らされ、項目の選択後５秒経過時にガイドＧが表示される。また、入力回数が２５回以上である場合には、ガイドＧの表示が停止される。
【００４８】
なお、デジタルカメラ１０は、動画撮影機能および静止画撮影機能、特定の領域に受光する被写体を合焦させるシングルＡＦ機能および撮影範囲内で移動する被写体を追尾しながら合焦させる追尾ＡＦ機能のように、取り違えて実行させると使用者の意図から外れてしまう複数の機能を有している。
【００４９】
このように取り違えて実行させると使用者の意図から外れる可能性の高い機能の組合せが、ガイド表示必須の組合せとして予め定められている。例えば、動画撮影機能と静止画撮影機能とが組合わせられる。また、シングルＡＦ機能と追尾ＡＦ機能とが組合わせられる。
【００５０】
このように予め組合されている機能の一方を実行しているときに、設定一覧画像において他方の機能に関連付けられた項目を選択した場合には、コマンドの入力回数に関わらず、ガイドを表示させることが好ましいことがある。
【００５１】
ＬＣＤ１６に項目Ｉｔとして表示される機能毎に、ガイド表示必須の組合せであるか否かの識別情報が設定され、ＣＰＵ１５が有するＲＯＭ（図示せず）に格納される。ガイド表示必須の組合せに含められる機能には、表示必須情報と同じ組合せに含められる他の機能を示す他機能情報とが識別情報として設定される。一方、ガイド表示必須の組合せに含められない機能には、表示任意情報が識別情報として設定される。
【００５２】
設定一覧画像において項目Ｉｔが選択されると、関連付けられた機能の識別情報がＣＰＵ１５により確認される。識別情報が表示必須情報を含み、他機能情報により示される機能を実行中である場合には、コマンドの入力回数に関わらず、選択後３秒経過時、すなわちコマンド入力回数が１０回未満のときと同じ経過時間でガイドが表示される。
【００５３】
このように、実行されている機能と反対の機能などを選択する場合には、使用者に注意を喚起するために、遅延すること無くガイドＧが表示される。
【００５４】
なお、ガイド表示の遅延停止および表示停止を実行させない機能の組合わせは、使用者が設定することも可能である。また、カウントされたコマンドの入力回数も使用者がリセットすることが可能である。また、ガイド表示を停止させるように、使用者が設定すること可能である。
【００５５】
次に、ＣＰＵ１５によって行われるガイド表示制御を、図９および図１０のフローチャートを用いて説明する。図９は、ガイド表示制御を説明するための第１のフローチャートである。図１０は、ガイド表示制御を説明するための第２のフローチャートである。
【００５６】
ガイド表示制御は、デジタルカメラ１０の電源をＯＮにして、ガイド表示の停止設定がされていない場合に、開始される。また、本制御は、デジタルカメラ１０の電源がＯＦＦに切替えられるとき、またはガイド表示を停止するように設定されるときに終了する。
【００５７】
ステップＳ１００において、ガイド表示のための初期化処理を実行する。初期化処理の実行後、ステップＳ１０１に進み、カウントされているコマンド回数をリセットするコマンドが入力されているか否かを判別する。リセットコマンドが入力されているときはステップＳ１０２に進み、リセットコマンドが入力されていないときにはステップＳ１０２をスキップしてステップＳ１０３に進む。リセットコマンドは、例えば、メニューボタン１８ｍとグリーンボタン１８ｇとが同時に３秒以上押下される場合に入力される構成となっている。
【００５８】
ステップＳ１０２では、カウントされたコマンドの入力回数をゼロにリセットする。リセット後、ステップＳ１０３に進む。ステップＳ１０３では、撮影設定メニュー画像ＰＩ、一般設定メニュー画像、撮影モード設定画像ＭＩなどの設定一覧画像を表示しているか否かを判別する。設定一覧画像を表示している場合には、ステップＳ１０４に進む。設定一覧画像を表示していない場合には、ステップＳ１０１に戻る。
【００５９】
ステップＳ１０４では、設定一覧画像に表示されるいずれかの項目が選択されているか否かを判別する。いずれかの項目が選択されていなければ、項目が選択されるまでステップＳ１０４の処理を繰返す。いずれかの項目が選択されると、ステップＳ１０５に進む。
【００６０】
ステップＳ１０５では、選択された項目に関連付けられた機能に設定される識別情報を読出す。識別情報を読出すと、ステップＳ１０６に進む。
【００６１】
ステップＳ１０６では、識別情報に基づいてガイド表示が必須であるか否かを判別する。識別情報が表示任意情報である場合にはガイド表示は必須でないと判別して、ステップＳ１０７に進む。識別情報が表示必須情報を含み、かつ他機能情報により示される機能が実行中である場合にはガイド表示が必須であると判別して、ステップＳ１１３に進む。
【００６２】
ステップＳ１０７では、ステップＳ１０４で選択された項目に対する選択確定のコマンドの入力回数が２５回を超えているか否かを判別する。入力回数が２５回を超える場合にはステップＳ１０８に進む。入力回数が２５回以下の場合にはステップＳ１０９に進む。
【００６３】
ステップＳ１０８では、ステップＳ１０４で選択された項目に関連付けられた機能を説明するガイドの表示を停止する。したがって、ガイドは表示されない。ガイド表示を停止後、ステップＳ１１４に進む。
【００６４】
ステップＳ１０９では、ステップＳ１０４で選択された項目に対する選択確定のコマンドの入力回数が２０回を超えているか否かを判別する。入力回数が２０回を超える場合にはステップＳ１１０に進む。入力回数が２０回以下の場合にはステップＳ１１１に進む。
【００６５】
ステップＳ１１０では、ステップＳ１０４で選択された項目に関連付けられた機能を説明するガイドを、項目の選択後５秒経過時に表示させる。ガイドの表示時期を決定後、ステップＳ１１４に進む。
【００６６】
ステップＳ１１１では、ステップＳ１０４で選択された項目に対する選択確定のコマンドの入力回数が１０回を超えているか否かを判別する。入力回数が１０回を超える場合にはステップＳ１１２に進む。入力回数が１０回以下の場合にはステップＳ１１３に進む。
【００６７】
ステップＳ１１２では、ステップＳ１０４で選択された項目に関連付けられた機能を説明するガイドを、項目の選択後４秒経過時に表示させる。ステップＳ１１３では、ガイドを項目の選択後３秒経過時に表示させる。ステップＳ１１２またはステップＳ１１３におけるガイド表示時期の設定後、ステップＳ１１４に進む。
【００６８】
ステップＳ１１４では、ステップＳ１０４で選択された項目の選択確定のコマンド入力が検出されるか否かを判別する。選択確定のコマンド入力が検出される場合には、ステップＳ１１５に進む。選択確定のコマンド入力が検出されない場合には、ステップＳ１１５をスキップして、ステップＳ１０１に戻る。
【００６９】
ステップＳ１１５では、ステップＳ１０４で選択された項目の選択確定のコマンド入力回数に１を加算する。コマンドの入力回数の加算後、ステップＳ１０１に戻る。
【００７０】
以上のような構成である本実施形態の携帯機器のガイド表示システムによれば、実行した機能の実行回数が多くなるほど、ガイドを表示する前の時間が遅延され、最終的にガイドの表示が停止される。
【００７１】
一般的に、実行頻度が高くなるほど、実行される機能は使用者に熟知されていることが多い。それゆえ、実行頻度の高い機能に対してまでもガイドが表示されると、使用者には逆に不快感を与えることがあった。
【００７２】
しかし、前述のように、本実施形態のガイド表示システムによれば、実行頻度の高い機能に対してのガイドは直ぐに又はまったく表示されないので、使用者は快適にデジタルカメラ１０を操作可能である。
【００７３】
なお、本実施形態では、選択確定して実行させる頻度の高い機能のガイド表示を遅延させ、更にはガイド表示を停止させる構成であるが、実行頻度に応じたガイド表示の遅延、またはガイド表示の停止のいずれか一方のみを実行する構成であってもよい。
【００７４】
また、本実施形態では、ガイドの表示時期を機能の実行頻度に応じて３段階に変える構成であるが、２段階以上であれば何段階であってもよい。
【００７５】
また、本実施形態では、選択して項目に関連付けられた機能が現在実行中の機能と予め組合わせられた機能である場合には、ガイド表示の遅延および停止を実行せずにガイドを表示させる構成であるが、このようなガイドの強制表示機能を設けなくてもよい。ガイドの強制表示機能を設けなくても、使用者は快適にデジタルカメラ１０を操作可能である。
【００７６】
また、本実施形態では、選択を確定するコマンドの入力回数をリセット可能な構成であるが、リセット出来なくても使用者は十分に快適にデジタルカメラ１０を操作可能である。
【００７７】
また、本実施形態では、ガイド表示システムはデジタルカメラに設けられる構成であるが、ディスプレイおよび様々な機能を実行可能な携帯機器にガイド表示システムを設けてもよい。
【００７８】
なお、本実施形態を適用した携帯機器のガイド表示システムは、ディスプレイおよび複数の機能を選択して実行可能な携帯機器に、ガイド表示制御のプログラムを読込ませて構成することも可能である。
【図面の簡単な説明】
【００７９】
【図１】本発明の一実施形態を適用した携帯機器のガイド表示システムを有するデジタルカメラの内部構成を概略的に示すブロック図である。
【図２】デジタルカメラの背面上方から見た概観図である。
【図３】撮影設定メニュー画像である。
【図４】項目を選択した状態の撮影設定メニュー画像である。
【図５】ポップアップが表示された撮影設定メニュー画像である。
【図６】撮影モード設定画像である。
【図７】ガイドが表示された撮影設定メニュー画像である。
【図８】ガイドが表示された撮影モード設定画像である。
【図９】ガイド表示制御を説明するための第１のフローチャートである。
【図１０】ガイド表示制御を説明するための第２のフローチャートである。
【符号の説明】
【００８０】
１０  デジタルカメラ
１４  ＤＳＰ（Ｄｉｇｉｔａｌ  Ｓｉｇｎａｌ  Ｐｒｏｃｅｓｓｏｒ）
１５  ＣＰＵ
１６  ＬＣＤ
１８  入力部
１８Ｕ、１８Ｄ、１８Ｌ、１８Ｒ  上ボタン、下ボタン、左ボタン、右ボタン
１８ｄ  決定ボタン
１９  カウンタ
Ｉ１〜Ｉ４  第１〜第４のアイコン
Ｉｔ  項目
ＭＩ  撮影モード設定画像
ＰＩ  撮影設定メニュー画像
ＰＵ  ポップアップ
【図１】
2010108099.tif 000003
【図２】
2010108099.tif 000004
【図３】
2010108099.tif 000005
【図４】
2010108099.tif 000006
【図５】
2010108099.tif 000007
【図６】
2010108099.tif 000008
【図７】
2010108099.tif 000009
【図８】
2010108099.tif 000010
【図９】
2010108099.tif 000011
【図１０】
2010108099.tif 000012